(57)【要約】  本開示は、ＷＩＦＩ伝送リンク（２５）上の１つのアクセスポイント（１２）から別のアクセスポイント（１４）までの同期パケットの分散時のデータ通信システムおよびネットワークにおける適正かつ正確なパケットベースの同期を確実にする方法および装置を提供する。当該装置によって、様々な符号化および変調方式による動的伝送レート適応がもたらされる。前記装置は、受信した同期パケットそれぞれを識別するための識別子（３６，３８）を含み、コントローラ（３２、３４）は、所定の同期パケット送信規則に従って前記同期パケットに対する伝送レートを設定するように構成される。【選択図】図４
2016504782.tif 000002
【特許請求の範囲】
【請求項１】
ＷＩＦＩ伝送リンク上の１つのアクセスポイントから別のアクセスポイントまで同期パケットを分散する時のデータ通信システムおよびネットワークにおける適正かつ正確なパケットベースの同期を確実にする方法であって、前記アクセスポイントにおける装置によって、様々な符号化および変調方式による動的伝送レート適応が提供され、
受信した同期パケットそれぞれを識別すること（Ｓ１１０）と、
所定の同期パケット送信規則に従って前記同期パケットの伝送レートを設定すること（Ｓ１２０）と、を含む、方法。
【請求項２】
前記所定の同期パケット送信規則は、２つのアクセスポイント間の前記伝送リンク上で両方向に同じ伝送レートによる前記同期パケットの送信を要求する、請求項１に記載の方法。
【請求項３】
前記所定の同期パケット送信規則は、利用可能な伝送レートのうちの低い伝送容量および／または帯域幅を与える伝送レートによる前記同期パケットの送信を要求する、請求項２に記載の方法。
【請求項４】
前記所定の同期パケット送信規則は、前記同期パケットに対して高い耐性を与える前記利用可能な伝送レートによる前記同期パケットの送信を要求する、請求項２または３に記載の方法。
【請求項５】
前記所定の同期パケット送信規則は、２つのアクセスポイント間の前記伝送リンク上で両方向において同じチャネルアクセス優先度に従う前記同期パケットの送信を要求し、前記チャネルアクセス優先度は、遅延のないまたは最短の利用可能な遅延による送信によって定められる、請求項１または２に記載の方法。
【請求項６】
前記伝送レートを設定することは、遅延なくまたは最短の利用可能な遅延で定められるチャネルアクセス優先度クラスに前記同期パケットを分類すること（Ｓ１２２）を含む、請求項１または２に記載の方法。
【請求項７】
前記伝送レートを設定することは、遅延をもたらさないまたは最短の利用可能な遅延をもたらす前記チャネルアクセス優先度クラスに分類されるデータパケットおよびフレームに対するキューに各同期パケットを誘導かつ転送すること（Ｓ１２２ｂ）を含む、請求項６に記載の方法。
【請求項８】
遅延をもたらさないまたは最短の利用可能な遅延をもたらす前記チャネルアクセス優先度クラスに分類され、かつ、前記所定の同期パケット送信規則によって設定された単一の伝送レートに従って送信されるデータパケットおよびフレームに対してのみ、前記キューは提供される、請求項７に記載の方法。
【請求項９】
前記キューは同期パケットのみに提供される、請求項８に記載の方法。
【請求項１０】
前記所定の同期パケット送信規則に従ってエアーインターフェイス上でアドレス指定されたアクセスポイントの方へ各同期パケットを送信すること（Ｓ１３０）を含む、請求項１ないし９のいずれか一項に記載の方法。
【請求項１１】
各同期パケットの前記送信は、ＭＩＭＯ技術または前記ＭＩＭＯ技術の変形形態によって各同期パケットを送信すること（Ｓ１３２）を含む、請求項１０に記載の方法。
【請求項１２】
前記各同期パケットの送信は、前記伝送リンクの２つ以上のチャネル上で同時にかつ並行して各同期パケットを送信することを含む、請求項１１に記載の方法。
【請求項１３】
前記伝送リンクの２つ以上のチャネル上で同時にかつ並行した各同期パケットの前記送信は、複数のアンテナにわたるコヒーレントもしくは差動時空ブロックコードまたは他の同様の技法の使用を含む、請求項１２に記載の方法。
【請求項１４】
前記アクセスポイントのうちの少なくとも１つは、電気通信システムおよびネットワークにおける無線基地局を含む、請求項１ないし１３のいずれか一項に記載の方法。
【請求項１５】
ＷＩＦＩ伝送リンク上の１つのアクセスポイントから別のアクセスポイントまでの同期パケットの分散時のデータ通信システムおよびネットワークにおける適正かつ正確なパケットベースの同期を確実に行える、アクセスポイントノードにおける装置であって、
前記アクセスポイントの装置によって、様々な符号化および変調方式による動的伝送レート適応が提供され、前記装置は、受信した同期パケットそれぞれを識別する識別子（３６、３８）と、所定の同期パケット送信規則に従って前記同期パケットに対する前記伝送レートを設定するように構成されるコントローラ（３２、３４）とを含む、装置。
【請求項１６】
前記所定の同期パケット送信規則は、２つのアクセスポイント間の前記伝送リンク上で両方向において同じ伝送レートによる前記同期パケットの送信を要求する、請求項１５に記載の装置。
【請求項１７】
前記所定の同期パケット送信規則は、利用可能な伝送レートのうちの低い伝送容量および／または帯域幅を与える伝送レートによる前記同期パケットの送信を要求する、請求項１６に記載の装置。
【請求項１８】
前記所定の同期パケット送信規則は、前記同期パケットに対して高い耐性を与える前記利用可能な伝送レートによる前記同期パケットの送信を要求する、請求項１６または１７に記載の装置。
【請求項１９】
前記所定の同期パケット送信規則は、２つのアクセスポイント間の前記伝送リンク上で両方向において同じチャネルアクセス優先度に従った前記同期パケットの送信を要求し、前記チャネルアクセス優先度が、遅延のないまたは最短の利用可能な遅延による送信によって定められる、請求項１５または１６に記載の装置。
【請求項２０】
適応符号化変調器（６０、６２）に対する伝送レートを設定するように構成される前記コントローラ（３２、３４）は、各同期パケットを、遅延なくまたは最短の利用可能な遅延によって定められるチャネルアクセス優先度クラスに分類するように構成される分類器（４０、４２）をさらに含む、請求項１５または１６に記載の装置。
【請求項２１】
前記コントローラ（３２、３４）は、遅延をもたらさないまたは最短の利用可能な遅延をもたらす前記チャネルアクセス優先度クラスに分類されるデータパケットおよびフレームに対するバッファキュー（５２、５４）に各同期パケットを誘導かつ転送するように構成される、請求項２０に記載の装置。
【請求項２２】
遅延をもたらさないまたは最短の利用可能な遅延をもたらす前記チャネルアクセス優先度クラスに分類され、かつ、前記所定の同期パケット送信規則によって設定された単一の伝送レートに従って送信されるデータパケットおよびフレームに対してのみ、前記バッファキュー（５２、５４）が提供される、請求項２１に記載の装置。
【請求項２３】
前記バッファキュー（５２、５４）は、同期パケットのみに対して提供される、請求項２２に記載の装置。
【請求項２４】
前記所定の同期パケット送信規則に従ってエアーインターフェイス上でアドレス指定されたアクセスポイント（１２、１４）の方へ各同期パケットを送信可能なトランシーバ（２０、２２）を含む、請求項１５ないし２３のいずれか一項に記載の装置。
【請求項２５】
前記トランシーバ（２０、２２）は、ＭＩＭＯ技術または前記ＭＩＭＯ技術の変形形態によって各同期パケットを送信するように構成される、請求項２４に記載の装置。
【請求項２６】
前記トランシーバ（２０、２２）は、各同期パケットを、前記伝送リンクの２つ以上のチャネル上で同時にかつ並行して送信するように構成される、請求項２５に記載の装置。
【請求項２７】
前記伝送リンクの２つ以上のチャネル上で同時にかつ並行した各同期パケットの前記送信は、複数のアンテナにわたってコヒーレントもしくは差動時空ブロックコードまたは他の同様の技法を使用することを含む、請求項２６に記載の装置。
【請求項２８】
前記アクセスポイント（１４）のうちの少なくとも１つは、電気通信システムおよびネットワークにおける無線基地局（８０）を含む、請求項１５ないし２７のいずれか一項に記載の装置。
【発明の詳細な説明】
【技術分野】
【０００１】
本開示は、データ通信システムにおけるＷＩＦＩ伝送リンク上でのパケットベースの同期を分散するための方法および装置に関する。
【背景技術】
【０００２】
電気通信システムおよびネットワークにおいて、伝送リンクは、様々なノード間の、システムおよびネットワーク内双方における、ならびに、他のシステムおよびネットワークに対するインターフェイスである。前記ノードは、例えば、ＩＰルータといった無線基地局、集約手段、スイッチング、および／または、ルーティング手段、ゲートウェイ、ならびに、サーバなどの様々な機能性エンティティを含むことができる。伝送リンクによってペイロードを有するデータパケットを搬送することを含む（有線）ベアラサービスが提供される。伝送リンク、例えば、迂回中継システムおよびネットワークにおけるＷＩＦＩ技術の使用についての重要性も増してきている。インターネットを通じてボイスオーバーＩＰ（ＶｏＩＰ）および音声／視覚（ＡＶ）ストリーミングなどのマルチメディアアプリケーションが出現するにつれて、ＩＥＥＥ８０２．１１のワイヤレスローカルエリアネットワーク（ＷＬＡＮ）は、広く行き渡った注目の広帯域ワイヤレス技術となった。現在、ＩＥＥＥ８０２．１１は、イーサネットのような媒体アクセス制御（ＭＡＣ）プロトコルに基づいてプロビジョニングするベストエフォート型サービスによるワイヤレスイーサネットと考えられている。ＩＥＥＥ８０２．１１におけるＱｏＳをサポートするために、ＱｏＳ対応ＭＡＣという名称のＩＥＥＥ８０２．１１ｅが売り出されている。
【０００３】
ＷＩＦＩは、アクセスポイント（ＡＰ）とユーザ機器（ＵＥ）との間のエアーインターフェイスで使用される周知の技術である。ＡＰおよびＵＥは、ライセンス不要の２．４ＧＨｚ帯で動作するが、ＲＢＳをサポートするネットワークおよびシステムにおけるＷＩＦＩ技術伝送リンクはライセンス不要の周波数帯域、例えば、５ＧＨｚで動作すべきであることが示唆されている。しかしながら、ライセンス不要の周波数帯域を使用することで、予測できない干渉を引き起こすことによって同じ周波数帯域における他のユーザからのノイズ妨害問題が生じる。ＷＩＦＩ技術は伝送技術をサポートするように設計されないため、イーサネットおよびＩＰのためのプロトコル規格ＩＥＥＥ１５８８ｖ２ＰＴＰ（高精度時間プロトコル）、ならびに、ＩＰのための高精度ＮＴＰ（ネットワーク時間プロトコル）としてのパケットベースの同期の分散についての特性は良好ではない。同期パケットストリームにおける多量のパケット損失および遅延変動は、様々なノードおよびノードエンティティを含むシステムならびにネットワーク、例えば、小型基地局、マクロ基地局における性能問題を引き起こし、位相同期および周波数同期に関する信頼できかつ精確な調整を必要とする。
【発明の概要】
【０００４】
解決すべき問題は、様々な妨害要素の影響を最低限に抑えることである。この妨害要素は、ＷＩＦＩ技術を使用した１つまたは複数のインターフェイスを有するデータ通信システムおよびネットワークにおけるパケットベースの同期を誤動作させてしまうといった影響を及ぼす。
【０００５】
したがって、１つの目的は、ＷＩＦＩ伝送リンク上で同期パケットを分散する時、データ通信システムおよびネットワークにおける適正かつ正確なパケットベースの同期を確実にするやり方を提供することである。
【０００６】
一態様によれば、前記目的を実現するための方法および当該方法の実施形態が提供される。前記方法および前記方法の実施形態によって、ＷＩＦＩ伝送リンク上の１つのアクセスポイントから別のアクセスポイントまで同期パケットを分散する時のデータ通信システムおよびネットワークにおける適正かつ正確なパケットベースの同期が確実に行われる。アクセスポイントにおける装置によって、様々な符号化および変調方式による動的伝送レート適応が提供される。当該方法は、受信した同期パケットそれぞれを識別し、所定の同期パケット送信規則に従って前記同期パケットの伝送レートを設定する。
【０００７】
当該方法のさらなる実施形態は、従属項において提供される。
【０００８】
さらなる一態様によれば、前記目的を実現するための装置および当該装置の実施形態が提供される。装置および当該装置の実施形態はアクセスポイントノードにおけるものである。当該装置によって、ＷＩＦＩ伝送リンク上の１つのアクセスポイントから別のアクセスポイントまで同期パケットを分散する時のデータ通信システムおよびネットワークにおける適正かつ正確なパケットベースの同期が確実に行われる。アクセスポイントにおける装置によって、様々な符号化および変調方式による動的伝送レート適応が提供される。前記装置は、受信した同期パケットそれぞれを識別するための識別子を含み、コントローラは、所定の同期パケット送信規則に従って前記同期パケットの伝送レートを設定するように構成される。
【０００９】
該装置のさらなる実施形態は、従属項において提供される。
【００１０】
１つの利点は、例えば、ＷＩＦＩノードにおける同期パケットのタイムスタンプ、および、透明クロック、境界クロック、または、パススルークロックの同期といった同期の実装に関係なく、エアーインターフェイス上のパケットベースの同期の分散にとって、ＷＩＦＩがより信頼できるものとなることである。
【００１１】
本発明の前述のならびに他の目的、特徴および利点は、下記の図面と併せて以下の詳細な説明を読むことによって、より容易に理解されるであろう。
【図面の簡単な説明】
【００１２】
【図１】本明細書で説明する装置および方法を実装することができる例示のネットワークおよびシステムのブロック図である。
【図２】ネットワークにおける同期パケットの分散を示すブロック図である。
【図３】装置の実施形態を示すブロック図である。
【図４】方法の実施形態を示すフローチャートである。
【図５】図４における方法のさらなる一実施形態を示すフローチャートである。
【図６】図４における方法のさらなる一実施形態を示すフローチャートである。
【図７】図４における方法のサブプロセスを示すフローチャートである。
【発明を実施するための形態】
【００１３】
以下の説明において、限定するものではなく説明する目的で、本発明を完全に理解してもらうために、特定の回路、回路構成要素、技法など特有の詳細を示す。しかしながら、本発明が、これらの特有の詳細から逸脱する他の実施形態において実践可能であることは、当業者には明らかであろう。他の事例では、不要な詳細によって本発明の説明を不明瞭にしないように、周知の方法、装置、および、回路の詳細な説明は省略される。
【００１４】
本発明の実施形態の例は、システムおよびネットワークにおける２つのノード間の伝送リンクインターフェイスにおけるベアラとしてＷＩＦＩ技術を使用する時のデータトラフィック性能に言及する。
【００１５】
本発明の実施形態の例は、システムおよびネットワークにおける２つのノード間の伝送リンクインターフェイスにおけるベアラとしてＷＩＦＩ技術を使用する時のデータトラフィック性能に言及する。
【００１６】
図１は、システムおよびネットワーク１０の一部の全体像を概略的に示す。当業者には理解されるように、サービストラフィックをサポートするためのシステムおよびネットワークは、多くのより機能的なブロックおよびエンティティを含むが、本発明の例および実施形態の以下の説明を理解する上で重要性が全くないまたはそれほど重要性がない詳細および特徴は、不要な詳細によって本発明の説明を不明瞭にしないように除かれている。よって、図１は、本明細書に記載した例示のエンティティおよび方法を実装することができる特有の重要性の一部を示す。
【００１７】
図１は、データトラフィックをサポートするためのシステムおよびネットワーク１０の一部の２つのノード１２、１４間の伝送リンク２５の実施形態の例を示す。実施形態の以下の例において、ノードは、データ通信システムにおけるアクセスポイントＡＰである。各ノードはノード装置１６、１８を含む。伝送リンク２５は、両方向におけるベアラ技術としてＷＩＦＩを使用するワイヤレスリンクである。よって、両方のＡＰは、ＡＰ間のエアーインターフェイス上で伝送リンク２５を介して無線トラフィックを送受信するための１つまたは複数のアンテナ２４、２６に接続された少なくとも１つのＷＩＦＩトランシーバ２０、２２を含む。この例では、各ＡＰは、リンク上のデータトラフィックの、当該リンクの他のノードへの、または、他のデータ通信ネットワークへの送受信を行うための第２のトランシーバ２８、３０も含む。前記第２のトランシーバはまた、（ＩＰにおける）ルータまたはイーサネットスイッチであってよい。前記リンクはまた、ワイヤレスおよび／または有線接続であってよい。よって、２つのＡＰ間のリンク２５は、様々なソースとデータトラフィックの受信機との間のデータ経路の一部を構成することができる。
【００１８】
この例では、前記データトラフィックは、データパケットの送られたＩＰまたはイーサネットフレームを含み、それら全ては、データパケットのデータヘッダおよびペイロードを含む。しかしながら、他の規格およびプロトコルに従って構成されるデータパケットも可能である。
【００１９】
各ＡＰは、制御装置による実行のための機械可読記憶装置において明白に具現化されたソフトウェアまたはコンピュータプログラム製品として制御装置において実装可能であるコントローラ３２、３４も含む。前記制御装置は、プログラム可能データプロセッサ、マイクロプロセッサなどであってよい。前記コントローラは、ＡＰ内の多数の機能的なエンティティに分散される多数の相互接続したサブコントローラとして構成されてよい。このような例では、各トランシーバ２０、２２は自身のコントローラを含むことができる。コントローラ３２、３４は、着信するデータフレームおよびデータパケットをトランシーバにより処理するトランシーバを制御するように、かつ、前記トランシーバ２０、２２によって送られるデータフレームおよびデータパケットを処理するように構成される。したがって、コントローラ３２、３４は様々な機能性を備え、当該機能性は、コンピュータ実行可能ソフトウェアにおいて実装されてコントローラによって実行される。本発明の例および実施形態の以下の説明を理解する上で重要性が全くないまたはそれほど重要性がない機能性については、不要な詳細によって本発明の説明を不明瞭にしないために除かれている。したがって、特別な重要性を有する機能性のみが本明細書に記載されている。
【００２０】
ＡＰのノード装置におけるＷＩＦＩトランシーバ２０、２２は、１つまたは複数のＷＩＦＩ送信機４８、５０およびＷＩＦＩ受信機４４、４６を含む。送信機は、先にデータパケットおよびフレームを一時的にバッファリングするための多数の様々な優先度付きキューバッファ５２、５４と、エアーインターフェイス上での送信前にパケットまたはフレームを変調および符号化させるための伝送レート適応変調器、ＡｄＭ、６０、６２とを含む。
【００２１】
レート適応は、リンク層上で送信容量を最適化するために使用される。ＩＥＥＥ８０２．１１ｎ規格は、様々な変調および符号化方式使用する物理層における複数の伝送レートを指定する。このような多重レート能力を活用するために、発信者は最良の伝送レートを選択し、かつ、そうした決定を、受信者からの明確な情報フィードバックがなくても、時変および位置依存チャネル品質に動的に適応させなければならない。このような動作はレート適応として知られる。基本的な概念は、チャネル品質を推定し、それに応じて伝送レートを調節することである。
【００２２】
種々の変調方式および符号化レートは規格８０２．１１ｎによって定められ、変調および符号化方式（ＭＣＳ）指標値によって表される。この「発明を実施するための形態」の最後で、１つの表２は、変調および符号化方式にとっての最大データレートを可能にする変数間の関係を示す。
【００２３】
送信機は、エアーインターフェイス上でアドレス指定されたＡＰの方へ各データパケットまたはフレームを送信する。このような送信機は、多入力多出力（ＭＩＭＯ）技術、例えば、２×２、４×４、８×８ＭＩＭＯ、および、それらの変形形態、例えば、ＳＩＭＯ、ＭＩＳＯに従って、１つのチャネル内／上の、もしくは、複数のチャネル内／上のデータパケットまたはフレームを送信するように構成されてよい。２×２ＭＩＭＯは、２チャネル出力２チャネル入力を意味するが、すなわち、無線で、２チャネルがデータを送信するために使用され、２チャンネルがデータを受信するために使用される。
【００２４】
ＷＩＦＩ送信機は、サービス品質機構をサポートする特有のＷＩＦＩ規格データリンク層プロトコルに従って、各データパケットおよび／またはフレームを送るように構成される。
【００２５】
ネットワークサービス全体の観点から、サービス品質（ＱｏＳ）は、遅延、ジッター、および、パケット損失率など、許容できる品質要件に従って、ユーザのアプリケーションを適正に供給することができるように、エンドツーエンドトラフィック制御を提供しなければならない。サービス品質要件を順守するために、アプリケーションのユーザレベルのトラフィックは、ネットワークインターフェイスにおいて伝送レベルのＱｏＳによってＱｏＳトラフィック制御を調整するものとする。
【００２６】
エンドツーエンドアーキテクチャにおけるサービス品質（ＱｏＳ）は、様々な規格、例えば、有線ＷＡＮを通した差別化サービス（ＤｉｆｆＳｅｒｖ）、または、有線ＬＡＮもしくはイーサネットＬＡＮを通したＩＥＥＥ８０２．１Ｄ／Ｑなどに基づくことができる。２つのノード間のエアーインターフェイスはＩＥＥＥ８０２．１１ｅ規格によって定められる。優先させたＱｏＳパラダイム下で、前記規格は、４つの異なる優先度レベルでトラフィックへの差別化したチャネルアクセスを提供する。よって、ＡＰにおけるノード装置は、規格間の様々なＱｏＳのマッピングをサポートしなければならない場合がある。
【００２７】
ＩＰフレームは、差別化サービスコードポイント（ＤＳＣＰ）の値としてその差別化サービス（ＤＳ）フィールドにおけるＱｏＳ値を搬送する。ＩＥＥＥ８０２．１Ｄ／Ｑにおいて、ＱｏＳは様々なトラフィックタイプのクラスに分類され、ユーザ優先度フィールドまたはクラスオブサービス（ＣｏＳ）フィールドにおいて搬送される。８０２．１１ｅＭＡＣ、すなわち、媒体アクセス制御という面において、対応する優先度の値が定められる。前記優先度の値は、トラフィックカテゴリ識別、ＴＣＩまたはＴＣＩＤと呼ばれる。優先度によってＭＡＣに到着する各フレームは、アクセスカテゴリ（ＡＣ）クラスを示す４つの異なるレベルの優先度のうちの１つにマッピングされる。
【００２８】
表１では、前記様々なＴＣＩＤ値およびＡＣがトラフィックタイプおよびＤＳＣＰ値に従ってどのようにマッピングすることができるかが示されている。
【００２９】
表１：イーサネットのＣｏＳおよびＩＰのＱｏＳに対するアクセスクラスおよびＴＣＩ値のマッピング
2016504782.tif 000003
【００３０】
ＩＥＥＥ８０２．１１ｅをサポートするＡＰにおいて、各アクセスカテゴリは特別なＭＡＣキューに対応する。ＡＰのノード装置におけるコントローラは、受信したデータトラフィックをそれらの優先度、すなわち、ＡＣクラスに従って送信できるようにする媒体アクセス制御（ＭＡＣ）機能性を有する。よって、高い優先度のデータパケットおよびフレームは、高い優先度のキューバッファのキューに入れられ、対応する、低い優先度のキューの低い優先度のトラフィックより速いチャネルアクセスが行われる。
【００３１】
本開示において特別な重要性を有する１つのデータパケットカテゴリは、ＷＩＦＩリンク上の同期パケットのトラフィックである。前記同期パケットは、例えば、異なる種類の無線基地局において、クロック同期に使用される。小型基地局の異種ネットワーク展開は、小型基地局間、または、小型基地局とマクロ基地局との間の調整がとれていない。小型基地局の大規模な構築も、小型基地局とマクロ基地局との間の調整を必要とし、これによって、同様に、小型基地局への良好な周波数および位相同期の分散が必要となる。共通の要求は、小型ＲＢＳのためのデータパケットトラフィックの伝送またはベアラとしてＷｉＦｉ技術を使用することができることである。
【００３２】
小型基地局のディプロイメントのための費用を維持するために、低位のネットワークオペレータには、小型基地局のための伝送としての使用を可能とすべき迂回中継技術についてのより高い柔軟性が必要とされる。
【００３３】
ＷｉＦｉ技術はまた、適応変調を使用することによって、最適な方法で、周波数帯域における容量を使用することができるように進化している。
【００３４】
これを全て一緒にすることで、多量の遅延変動、および、パケット損失の可能性が生じ、それら全ては、変調がどのように変化するか、かつ、干渉および再送信の可能性はＷｉＦｉリンク上でどのくらい求められるのかに左右される。
【００３５】
正確に作動させること、かつ、遅延変動、リンク非対称（様々な方向における様々な遅延）、および、同期パケットのパケット損失を最小限に抑えることは、パケットベースの同期にとっての課題である。
【００３６】
解決すべき問題は、様々な妨害要素の影響を最小限に抑えることである。この妨害要素は、ＷＩＦＩ技術を使用した１つまたは複数のインターフェイスを有するデータ通信システムおよびネットワークにおけるパケットベースの同期を誤動作させてしまうといった影響を及ぼす。
【００３７】
したがって、１つの目的は、ＷＩＦＩ伝送リンク上で同期パケットを分散する時のデータ通信システムおよびネットワークにおける適正かつ正確なパケットベースの同期を確実にするやり方を提供することである。したがって、図１の例示のノード装置は、ＷＩＦＩ伝送リンク上で同期パケットを分散する時のデータ通信システムおよびネットワークにおける適正かつ正確なパケットベースの同期を確実にするように構成されなければならない。
【００３８】
図２は、エンドユーザへおよびエンドユーザからのデータトラフィック、ならびに、それらのユーザ機器、ＵＥ、をサポートするためのシステムおよびネットワークの一部の例の全体像を概略的に示す。当業者には理解されるように、サービストラフィックをサポートするためのシステムおよびネットワークは、多くのより機能的なブロックおよびエンティティを含むが、本発明の例および実施形態の以下の説明を理解する上で重要性が全くないまたはそれほど重要性がない詳細および特徴は、不要な詳細によって本発明の説明を不明瞭にしないために除かれている。
【００３９】
よって、図２は、本明細書に記載した例示のエンティティおよび方法を実装することができる特有の重要性を有する一部を示す。図２は、ＷＩＦＩ伝送リンク上の１つのアクセスポイントから１つまたは複数の他のアクセスポイントまで同期パケットを分散する時のデータ通信システムおよびネットワークにおける適正かつ正確なパケットベースの同期の意義を示すことを意図する。
【００４０】
よって、２つのノード間のＷＩＦＩ伝送リンクの上記で説明しかつ示した例は、無線基地局を介したシステムおよびネットワークの一部の以下の例にある。当該システムおよびネットワークの一部はＡＰに接続可能であり、当該ＡＰは、図１を参照すると、上述したように前記ＡＰと別のＡＰとの間のＷＩＦＩ伝送リンクを介してデータトラフィックを送受信することができる。
【００４１】
示された例によれば、システムおよびネットワークは、ノードにおいてグランドマスター、ＧＭ７０、を含む。このＧＭは、とりわけ、ワイヤレス電気通信のための無線基地局の同期を対象とした同期パケット９０のストリームを提供するためのグランドマスタークロック（図示せず）を備える。同期パケットは、それらの間で所定の間隔で送られ、それらを測定することができる。前記同期パケットを経路に沿って異なるように遅延させ、パケットにはまた、途中で様々なノードにおいてタイプスタンプが付与される。同期パケットは、途中で様々なクロックを訂正できる。集約ベース１２は、ＷＩＦＩ伝送リンク２５ａ、２５ｂ、２６ｃ上で受信した同期パケットのストリームをそれぞれアクセスポイント（ＡＰ）１４ａ、１４ｂ、１４ｃに分散するように構成される。ＡＰは、無線基地局、ＲＢＳ、８０ａ、８０ｂ、８０ｃのうちの１つに接続する。前記基地局は、任意のアクセス規格、例えば、いくつかはエリア内の、および／または、同じオペレータにリンクした基地局の同期を必要とする、３ＧＰＰ（第３世代パートナーシッププロジェクト）、ＬＴＥ（ロングタームエボリューション）、ＧＳＭ（汎欧州デジタル移動通信システム）などに従って動作している。基地局の同期を必要とするワイヤレス電気通信に関するアクセス技術の例は、例えば、３ＧＰＰである。同期パケット９０のストリームによって、クロックを有するＲＢＳは前記クロックを同期することができる。さらに、ＲＢＳは、受信した同期パケットを戻してそれらパケットは到着時に同じ経路で戻る。したがって、ＧＭ７０は、ラウンドトリップ時間（ＲＴＴ）を測定することができる。
【００４２】
同期パケットは、以下の例において、ＩＥＥＥ１５８８ＰＴＰ（高精度時間プロトコル）または高精度ＮＴＰ（ネットワーク時間プロトコル）に従って、情報を伝送するように構成されている。前記同期パケットは、ＩＰフレームまたはイーサネットフレームどちらかにおいて伝送されかつ埋め込まれる。
【００４３】
正確に作動させるためのパケットベースの同期にとって、遅延変動、リンク非対称（様々な方向における様々な遅延）、および、同期パケットのパケット損失を最小限に抑えるということが問題点である。そのように、ＷｉＦｉ技術が、適応変調および符号化を使用することによって、最適に周波数帯域における容量を使用することができるようにも進化している。未公表の実験および試験によって、同期パケットの多量の遅延変動およびパケット損失の可能性は、ＷｉＦｉリンクにおける適応変調および符号化の使用による変調の変化に左右されることが示されている。さらに、これらの試験によって、より速い伝送レートを実現するためにより高度な変調および符号化方式を使用することによって、パケットベースの同期は信頼できないものになり、かつ、不安定になることも示されている。より高度な変調および符号化方式、より高いＭＣＳ指数、ならびに、より速い伝送レートおよびデータレートの間の関係は、この「発明を実施するための形態」のセクションの最後の表２において明らかとされる。低い伝送レートまたはデータレートの選択は、これらの問題を最小限に抑えるのに好都合である。したがって、本明細書では、適応変調器が、低い伝送レート、例えば、二位相偏移変調、ＢＰＳＫ、の変調を規定するＭＣＳ指数０（表２を参照）に設定するように強制することによって、動的リンク速度アルゴリズムがより速い伝送レートを可能にするとしても、パケットベースの同期はより安定しかつより信頼できるものになることが提案されている。
【００４４】
図３において、上述した方法サポートするための装置１６の実施形態の例が示されている。前記装置はアクセスポイントノード１２、１４に設けられる。前記装置によって、ＷＩＦＩ伝送リンク２５上の１つのアクセスポイント１２から別のアクセスポイント１４まで、および逆の場合も同様に、すなわち、両方向において、同期パケットを分散する時のデータ通信システムおよびネットワーク１００における適正かつ正確なパケットベースの同期が確実に行われる。
【００４５】
装置１６はより詳細に説明されるが、ノード１４における装置１８の設計と同様である。さらに、装置の要素および構成要素全ては、図１に示される装置に対して既に説明しているため、ここでは説明しない。したがって、同じ要素および図１および図２の２つにおいて同様の構成要素には同じ参照番号を使用する。
【００４６】
当該装置は、コントローラ３２および変調器６０によって様々な符号化および変調方式による動的伝送レート適応を提供する。
【００４７】
コントローラ３２はデータパケットおよび／またはデータフレーム識別子の機能性を含む。前記識別子、Ｉｄ、３６は、コントローラブロックにおけるブロックとして示されており、受信されるデータパケットまたはデータフレームの種類を示す、データパケットまたはフレームのヘッダによって判断するように構成される。前記識別子３６はコントローラ機能性に関連付けられ、当該識別子は、コントローラ３２によって実行されるようにコンピュータソフトウェアにおいて実装可能である。
【００４８】
各コントローラは、データパケットおよび／またはデータフレーム分類子機能性も含む。コントローラブロックにおけるブロックとして示される分類器４０は、１つまたは複数の要件もしくは規則に従って、例えば、ここでは低いＭＣＳ指数（「発明を実施するための形態」のセクションの最後の表２を参照）およびサービス品質などと同様の低い変調および符号化方式に関して、各データパケットおよび／またはフレームを分類するように構成される。分類器４０は、設定された分類に従って、フレームヘッダを作るためのマーカ５６の機能性を含む。
【００４９】
よって、前記装置は、受信した同期パケットのそれぞれを識別することができる識別子３６を含む。また、コントローラ３２は、コントローラ３２と通信するメモリ記憶域、または、コントローラ自体のいずれかにおいて記憶可能な所定の同期パケット送信規則に従って前記同期パケットにとっての伝送レートを設定するように構成される。
【００５０】
前記所定の同期パケット送信規則６４は、同期パケットの送信が、２つのアクセスポイント間の伝送リンク上で両方向において同じ伝送レートで行われることを要求する場合がある。装置のさらなる一実施形態において、所定の同期パケット送信規則６４はまた、同期パケットの送信が、利用可能な伝送レート、すなわち、二位相偏移変調、ＢＰＳＫ、の変調を規定するＭＣＳ指数０（表２を参照）の低い伝送容量および／または帯域幅を与える伝送レートで行われ、動的リンク速度アルゴリズムがより速い伝送レートを可能にするとしても、パケットベースの同期はより安定しかつより信頼できるものになる。
【００５１】
実施形態のさらなる一例では、所定の同期パケット送信規則はまた、同期パケットの送信が、同期パケットに対して高い耐性を与える利用可能な伝送レート、すなわち、二位相偏移変調、ＢＰＳＫ、の変調を規定するＭＣＳ指数０（表２を参照）で行われ、動的リンク速度アルゴリズムがより速い伝送レートを可能にするとしても、パケットベースの同期はより安定しかつより信頼できるものになる。
【００５２】
別の例では、所定の同期パケット送信規則６４はまた、同期パケットの送信が、２つのアクセスポイント間の伝送リンク上で両方向において同じチャネルアクセス優先度に従って行われ、前記チャネルアクセス優先度が、遅延のないまたは最短の利用可能な遅延による送信によって定められることを要求する場合がある。
【００５３】
適応変調器６０に対する伝送レートを設定するように構成されるコントローラ３２は、各同期パケットを、遅延なくまたは最短の利用可能な遅延特性によって指定されるチャネルアクセス優先度クラスに分類するように構成される分類器４０をさらに含む。前記遅延要件は、例えば、強化分散チャネルアクセス（ＥＤＣＡ）に対する規格ＩＥＥＥ８０２．１１ｅで設定される。ＥＤＣＡによって、高優先度のトラフィックは、低い優先度のトラフィックより速くチャネルアクセスを行い、高優先度のトラフィックを有するＡＰは、概して、低い優先度のトラフィックのＡＰよりも、パケットを送る前の待ち時間が少し短い。これは、より高い優先度のパケットに対するより短いコンテンションウィンドウ（ＣＷ）、および、より短いアービトレーションフレーム間スペース（ＡＩＦＳ）を使用することによって達成される。厳密な値はデータを送信するのに使用される物理層に左右される。さらに、ＥＤＣＡは、送信機会（ＴＸＯＰ）と呼ばれる期間の間、チャネルへのコンテンションフリーのアクセスを提供する。ＴＸＯＰは、（送信所要時間がＴＸＯＰの最大所要時間を超えない限り）ＡＰができるだけ多くのフレームを送ることができる制限のある時間間隔である。フレームが大きすぎて単一のＴＸＯＰにおいて送信できない場合、より小さいフレームに寸断するべきである。
【００５４】
ＥＤＣＡにおける優先度のレベルはアクセスカテゴリ（ＡＣ）と呼ばれる。ＣＷｍｉｎおよびＣＷｍａｘの値は、８０２．１１ｅによってサポートされる物理層それぞれに対して定められる、ａＣＷｍｉｎおよびａＣＷｍａｘの値それぞれから算出される。
【００５５】
2016504782.tif 000004
【００５６】
よって、ＡＣクラスの「音声」は、最短のチャネルアクセス遅延をもたらし、したがって、チャネルアクセス優先度クラスとして好ましい。
【００５７】
コントローラ３２は、ＷＩＦＩトランシーバにおけるバッファに各同期パケットを誘導かつ転送するように構成可能である。前記バッファ５２は、遅延をもたらさないまたは最短の利用可能な遅延をもたらす前記チャネルアクセス優先度クラスに分類されるデータパケットおよびフレームに対する１つまたは複数のバッファキュー５２を含む。
【００５８】
したがって、装置内のコントローラ３２は、受信したデータトラフィックをそれらの優先度、すなわち、ＡＣクラスに従って送信可能にする媒体アクセス制御（ＭＡＣ）機能性を有する。ＩＥＥＥ８０２．１１ｅをサポートするＡＰにおいて、各アクセスカテゴリは特別なＭＡＣキューに対応する。よって、高優先度のデータパケットおよびフレームは、高優先度のキューバッファのキューに入れられ、対応する低い優先度のキューにおける低い優先度のトラフィックより速くチャネルアクセスする。
【００５９】
一実施形態では、遅延をもたらさないまたは最短の利用可能な遅延をもたらす前記チャネルアクセス優先度クラスに分類され、かつ、所定の同期パケット送信規則によって設定された単一の伝送レートに従って送信されるデータパケットおよびフレームに対してのみ、前記１つまたは複数のバッファキュー５２が提供される。
【００６０】
さらなる一実施形態では、バッファキュー５２は、同期パケットのみに対して提供される。
【００６１】
装置は、所定の同期パケット送信規則に従ってエアーインターフェイスにおいて伝送リンク上でアドレス指定されたアクセスポイント１４の方へ各同期パケットを送信可能なトランシーバ２０を含む。前記トランシーバ２０は、ＭＩＭＯ技術またはＭＩＭＯ技術の変形形態、例えば、ＳＩＭＯ（１入力多出力）、ＭＩＳＯ（多入力１出力）によって、各同期パケットを送信するように構成される。前記技術は、当技術分野では周知であり、したがって、本明細においてさらに詳細に説明しないものとする。これらの技術を使用することによって、トランシーバ２０は、各同期パケットを、前記伝送リンクの２つ以上のチャネル上で同時にかつ並行して送信するように構成可能である。複数のアンテナにわたってコヒーレントもしくは差動時空ブロックコードまたは他の同様の技法を使用することによって、同期パケットの移送およびパケットベースの同期の信頼性が向上する。
【００６２】
説明した例において、アクセスポイント１４は無線基地局８０を含む、または、無線基地局８０に接続される。図２に示されるように、アクセスポイントのうちの１つは、電気通信システムおよびネットワークにおける集約ベースであってよい。前記集約ベースはアクセスポイント１２に対応する。よって、アクセスポイント１２は、様々なアクセスポイントに対して多数のＷＩＦＩ伝送リンク２５を供給することができ、前記アクセスポイントのそれぞれは、無線基地局、ＲＢＳに接続されて、および／または無線基地局、ＲＢＳを収容して、スマートフォン、モバイルフォン、ラップトップ、または、電気通信機器を含む他のモバイル装置などの様々なユーザ機器、ＵＥ、への無線アクセスを提供する。本明細書に記載された実施形態によって、パケットベースの同期の分散によるデータおよび無線信号の信頼できる移送が行われる。
【００６３】
図４は、ＷＩＦＩ伝送リンク上で同期パケットを分散する時のデータ通信システムおよびネットワークにおける適正かつ正確なパケットベースの同期を確実にする方法の実施形態の例を示すフローチャートである。前記方法Ｓ１００は、図３を参照して上述されるように、ネットワークおよびシステムにおいて実装可能であり、このネットワークおよびシステムは、２つのノード間にＷＩＦＩ伝送リンクを含む。適正かつ正確なパケットベースの同期を確実にするために、前記方法は以下を含む。
Ｓ１１０：受信した同期パケットそれぞれを識別すること。既に上述したように、ＡＰにおける第２のトランシーバ（図３では２８）はデータパケットおよびデータフレームを受信する。各データパケットまたはフレームは、データパケットに関する情報が含有されるヘッダを有する。前記情報は標準プロトコルに従って構造化される。同期パケットはＩＰフレームまたはイーサネットフレームにカプセル化されて受信される。コントローラ（図３では３２）における識別子（図３では３６）機能性はヘッダ情報を読み取り、識別子は、カプセル化された同期パケットを識別することができる。これによって、コントローラは、トリガされて、同期パケットを処理するためのあるプロセスに従って、フレーム（イーサネットまたはＩＰ）の同期パケットを処理する。このことは、プロセスの次のステップで説明する。
Ｓ１２０：所定の同期パケット送信規則に従って前記同期パケットの伝送レートを設定すること。コントローラ（図３では３２）は、所定の同期パケット送信規則に従って前記同期パケットの伝送レートを設定するように構成される。よって、動的適応符号化および変調は、所定の同期パケット送信規則によって統御される。所定の同期パケット送信規則は、２つのアクセスポイント間の伝送リンク上で両方向に同じ伝送レートによる同期パケットの送信を要求する。さらに、前記規則は、利用可能な伝送レートのうちの低い伝送容量および／または帯域幅を与える伝送レートによる同期パケットの送信を要求する場合がある。所定の同期パケット送信規則はまた、同期パケットに対して高い耐性を与える利用可能な伝送レートによる同期パケットの送信を要求する場合がある。さらに、所定の同期パケット送信規則は、２つのアクセスポイント間の伝送リンク上で両方向において同じチャネルアクセス優先度に従う同期パケットの送信を要求する場合があり、前記チャネルアクセス優先度は、遅延のないまたは最短の利用可能な遅延による送信によって定められる。高い耐性は、低次変調のような妨害に対する保護を与える技法、または、前方誤り訂正技法である。
【００６４】
図５は、Ｓ１１０、Ｓ１２０およびＳ１３０を含む方法の実施形態を示すフローチャートである。ここで、Ｓ１３０は以下を含む。
Ｓ１３０：所定の同期パケット送信規則に従ってエアーインターフェイス上でアドレス指定されたアクセスポイントの方へ各同期パケットを送信すること。前記送信は単一チャネル上で行われてよいが、各同期パケットを、ＭＩＭＯ技術またはＭＩＭＯ技術の変形形態によって、前記伝送リンクの２つ以上のチャネル上で同時にかつ並行して送信することができる。
【００６５】
本方法のさらなる一実施形態によれば、図６に示されるように、Ｓ１３０は以下を含むことができる。
Ｓ１３２：ＭＩＭＯ技術またはＭＩＭＯ技術の変形形態によって各同期パケットを送信すること。各同期パケットの送信を、前記伝送リンクの２つ以上のチャネル上で同時にかつ並行して行うことができ、複数のアンテナにわたるコヒーレントもしくは差動時空ブロックコードまたは他の同様の技法の使用を含む。無線信号および同期パケットの信頼性を、コヒーレントもしくは差動時空ブロックコードまたは他の同様の技法を複数のアンテナにわたって使用して、同期パケットの移送の信頼性を向上させるための「同期キュー」を関連付けることによってもさらに高めることができる。
【００６６】
図６に示されるように、本方法の同じ実施形態において、Ｓ１２０は以下を含むことができる。
Ｓ１２２：遅延なくまたは最短の利用可能な遅延で定められるチャネルアクセス優先度クラスに各同期パケットを分類すること。
【００６７】
Ｓ１２２を多数のサブステップＳ１２２ａ、Ｓ１２２ｂおよびＳ１２２ｃによって説明することができ、このことは図７におけるフローチャートに示されている。
Ｓ１２２ａ：遅延なくまたは最短の利用可能な遅延で定められるチャネルアクセス優先度クラスに対応するチャネルアクセス優先度クラス値によって送信されるフレームのヘッダに印をつけること。ＩＥＥＥ８０２．１１ｅ規格のフレームが使用される例において、コントローラの分類器（図３の４０を参照）機能性は、フレームのヘッダにおいて、トラフィックカテゴリ識別（ＴＣＩまたはＴＣＩＤ）値によって、遅延なくまたは最短の利用可能な遅延で定められるチャネルアクセス優先度クラスに対応する、対応するＩＥＥＥ８０２．１１ｅアクセスクラス（ＡＣ）のクラスに印をつけるように構成される。表１において、前記ＡＣのクラスは「音声」として定められ、ＴＣＩ値「６」または「７」を有している。
Ｓ１２２ｂ：遅延をもたらさないまたは最短の利用可能な遅延をもたらす前記チャネルアクセス優先度クラスに分類されるデータパケットおよびフレームに対するキューに同期パケットを誘導かつ転送すること。コントローラ（図３では３２）はこの動作を行うように構成される。遅延をもたらさないまたは最短の利用可能な遅延をもたらす前記チャネルアクセス優先度クラスに分類され、かつ、所定の同期パケット送信規則によって設定された単一の伝送レートに従って送信されるデータパケットおよびフレームに対してのみ、前記キューを提供することができる。方法の一実施形態において、前記キューは同期パケットのみに提供される。
Ｓ１２２ｃ：２つのアクセスポイント間の伝送リンク上で同じ伝送レートによる同期パケットの送信を規定する所定の同期パケット送信規則に従って、フレームごとに同期パケットをカプセル化するフレームを変調すること。前記ステップによって、変調および符号化規格、すなわち、同期パケットに対して高い耐性を与える伝送レートによる変調が行われる。
【００６８】
プロセスの結果、データリンク層フレーム、例えば、ＩＥＥＥ８０２．１１ｅで定められたフレームにおいてカプセル化された同期パケットは、最高位の利用可能なチャネルアクセス優先度クラス、すなわち、ＴＣＩまたはＴＣＩＤ値によって印が付けられ、それによって、遅延なくまたはあまり遅延がなくＷＩＦＩトランシーバ（図３では２０）においてＷＩＦＩ送信機（図３では４８）によって送信され、かつ、ＷＩＦＩトランシーバにおいて利用可能な低い変調および符号化規格、伝送レートに従って、適応変調器（図３では６０）によって変調かつ符号化される。
【００６９】
その方法および実施形態は、デジタル電子回路において、または、コンピュータハードウェア、ファームウェア、ソフトウェアにおいて、あるいは、それらの組合せにおいて、実装可能である。本発明の器具は、プログラム可能なプロセッサによって実行するために機械可読記憶装置において明白に具現化されたコンピュータプログラム製品において実装可能であり、本発明の方法ステップは、命令のプログラムを実行するプログラム可能なプロセッサによって行われて、入力データを動作させ、かつ、出力を生成することによって本発明の機能を行うことができる。
【００７０】
その方法および実施形態は有利には、データ記憶システム、少なくとも１つの入力装置、および、少なくとも１つの出力装置に対して、データおよび命令を受信するために、および、データおよび命令を送信するために連結された少なくとも１つのプログラム可能なプロセッサを含むプログラム可能なシステム上で実行可能な１つまたは複数のコンピュータプログラムにおいて実装可能である。各コンピュータプログラムは、高水準手続型もしくはオブジェクト指向型プログラミング言語で、または、所望の場合、アセンブリもしくは機械言語で実装可能であり、いずれの場合も、言語はコンパイルまたはインタプリタ言語であってよい。
【００７１】
一般的に、プロセッサは、読み出し専用メモリおよび／またはランダムアクセスメモリから命令およびデータを受信する。コンピュータプログラム命令およびデータを明白に具現化するのに適切な記憶装置は、例として、ＥＰＲＯＭ、ＥＥＰＲＯＭおよびフラッシュメモリ装置などの半導体メモリ装置、内蔵ハードディスクおよび取り外し可能ディスクなどの磁気ディスク、光磁気ディスク、ならびに、ＣＤ−ＲＯＭディスクを含む全ての形態の不揮発性メモリを含む。前述のいずれも、特別に設計したＡＳＩＣ（特定用途向け集積回路）によって補うことができる、または、当該ＡＳＩＣに組み込むことができる。
【００７２】
既に記述したように、１つの利点は、例えば、ＷＩＦＩノードにおける同期パケットのタイムスタンプといった同期実装、および、透明クロック、境界クロック、または、パススルークロックの同期に関係なく、エアーインターフェイス上のパケットベースの同期の分散にとって、ＷＩＦＩがより信頼できるものとなることである。
【００７３】
多数の実施形態を説明してきたが、本発明の範囲を逸脱せずに種々の修正を行うことができることは理解されたい。したがって、他の実装形態は、本発明を定める添付の特許請求の範囲内のものとする。
【００７４】
表２：変調および符号化方式に対する最大データレートを可能にする変数間の関係（ＧＩ＝ガード区間）
2016504782.tif 000005
【図１】
2016504782.tif 000006
【図２】
2016504782.tif 000007
【図３】
2016504782.tif 000008
【図４】
2016504782.tif 000009
【図５】
2016504782.tif 000010
【図６】
2016504782.tif 000011
【図７】
2016504782.tif 000012
【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
伝送リンクインターフェイスにおけるベアラとしてＷＩＦＩ技術を使用するデータ通信システムおよびネットワークのリンク層における適正かつ正確なパケットベースの同期を確実にし、ＷＩＦＩ伝送リンクインターフェイス上の１つのアクセスポイントから別のアクセスポイントへ同期パケットを分散する方法であって、前記アクセスポイントは、前記方法を実施するように構成された装置によって、様々な符号化および変調方式を用いて前記伝送リンクインターフェイスの動的伝送レート適応を提供し、
受信した同期パケットそれぞれを識別すること（Ｓ１１０）と、
所定の同期パケット送信規則に従って前記同期パケットの伝送レートを設定すること（Ｓ１２０）と、を含む、方法。
【請求項２】
前記所定の同期パケット送信規則は、２つのアクセスポイント間の前記伝送リンク上で両方向に同じ伝送レートによる前記同期パケットの送信を要求する、請求項１に記載の方法。
【請求項３】
前記所定の同期パケット送信規則は、利用可能な伝送レートのうちの低い伝送容量および／または帯域幅を与える伝送レートによる前記同期パケットの送信を要求する、請求項２に記載の方法。
【請求項４】
前記所定の同期パケット送信規則は、前記同期パケットに対して高い耐性を与える前記利用可能な伝送レートによる前記同期パケットの送信を要求する、請求項２または３に記載の方法。
【請求項５】
前記所定の同期パケット送信規則は、２つのアクセスポイント間の前記伝送リンク上で両方向において同じチャネルアクセス優先度に従う前記同期パケットの送信を要求し、前記チャネルアクセス優先度は、遅延のないまたは最短の利用可能な遅延による送信によって定められる、請求項１または２に記載の方法。
【請求項６】
前記伝送レートを設定することは、遅延なくまたは最短の利用可能な遅延で定められるチャネルアクセス優先度クラスに前記同期パケットを分類すること（Ｓ１２２）を含む、請求項１または２に記載の方法。
【請求項７】
前記伝送レートを設定することは、遅延をもたらさないまたは最短の利用可能な遅延をもたらす前記チャネルアクセス優先度クラスに分類されるデータパケットおよびフレームに対するキューに各同期パケットを誘導かつ転送すること（Ｓ１２２ｂ）を含む、請求項６に記載の方法。
【請求項８】
遅延をもたらさないまたは最短の利用可能な遅延をもたらす前記チャネルアクセス優先度クラスに分類され、かつ、前記所定の同期パケット送信規則によって設定された単一の伝送レートに従って送信されるデータパケットおよびフレームに対してのみ、前記キューは提供される、請求項７に記載の方法。
【請求項９】
前記キューは同期パケットのみに提供される、請求項８に記載の方法。
【請求項１０】
前記所定の同期パケット送信規則に従ってエアーインターフェイス上でアドレス指定されたアクセスポイントの方へ各同期パケットを送信すること（Ｓ１３０）を含む、請求項１ないし９のいずれか一項に記載の方法。
【請求項１１】
各同期パケットの前記送信は、ＭＩＭＯ技術または前記ＭＩＭＯ技術の変形形態によって各同期パケットを送信すること（Ｓ１３２）を含む、請求項１０に記載の方法。
【請求項１２】
前記各同期パケットの送信は、前記伝送リンクの２つ以上のチャネル上で同時にかつ並行して各同期パケットを送信することを含む、請求項１１に記載の方法。
【請求項１３】
前記伝送リンクの２つ以上のチャネル上で同時にかつ並行した各同期パケットの前記送信は、複数のアンテナにわたるコヒーレントもしくは差動時空ブロックコードまたは他の同様の技法の使用を含む、請求項１２に記載の方法。
【請求項１４】
前記アクセスポイントのうちの少なくとも１つは、電気通信システムおよびネットワークにおける無線基地局を含む、請求項１ないし１３のいずれか一項に記載の方法。
【請求項１５】
伝送リンクインターフェイスにおけるベアラとしてＷＩＦＩ技術を使用するＷＩＦＩ伝送リンクインターフェイス上の１つのアクセスポイントから別のアクセスポイントへの同期パケットを分散する時のデータ通信システムおよびネットワークのリンク層における適正かつ正確なパケットベースの同期を確実に行える、アクセスポイントノードにおける装置であって、前記アクセスポイントの装置によって、様々な符号化および変調方式を用いて動的伝送レート適応が提供され、前記装置は、受信した同期パケットそれぞれを識別する識別子（３６、３８）と、所定の同期パケット送信規則に従って前記同期パケットに対する前記伝送レートを設定するように構成されるコントローラ（３２、３４）とを含む、装置。
【請求項１６】
前記所定の同期パケット送信規則は、２つのアクセスポイント間の前記伝送リンク上で両方向において同じ伝送レートによる前記同期パケットの送信を要求する、請求項１５に記載の装置。
【請求項１７】
前記所定の同期パケット送信規則は、利用可能な伝送レートのうちの低い伝送容量および／または帯域幅を与える伝送レートによる前記同期パケットの送信を要求する、請求項１６に記載の装置。
【請求項１８】
前記所定の同期パケット送信規則は、前記同期パケットに対して高い耐性を与える前記利用可能な伝送レートによる前記同期パケットの送信を要求する、請求項１６または１７に記載の装置。
【請求項１９】
前記所定の同期パケット送信規則は、２つのアクセスポイント間の前記伝送リンク上で両方向において同じチャネルアクセス優先度に従った前記同期パケットの送信を要求し、前記チャネルアクセス優先度が、遅延のないまたは最短の利用可能な遅延による送信によって定められる、請求項１５または１６に記載の装置。
【請求項２０】
適応符号化変調器（６０、６２）に対する伝送レートを設定するように構成される前記コントローラ（３２、３４）は、各同期パケットを、遅延なくまたは最短の利用可能な遅延によって定められるチャネルアクセス優先度クラスに分類するように構成される分類器（４０、４２）をさらに含む、請求項１５または１６に記載の装置。
【請求項２１】
前記コントローラ（３２、３４）は、遅延をもたらさないまたは最短の利用可能な遅延をもたらす前記チャネルアクセス優先度クラスに分類されるデータパケットおよびフレームに対するバッファキュー（５２、５４）に各同期パケットを誘導かつ転送するように構成される、請求項２０に記載の装置。
【請求項２２】
遅延をもたらさないまたは最短の利用可能な遅延をもたらす前記チャネルアクセス優先度クラスに分類され、かつ、前記所定の同期パケット送信規則によって設定された単一の伝送レートに従って送信されるデータパケットおよびフレームに対してのみ、前記バッファキュー（５２、５４）が提供される、請求項２１に記載の装置。
【請求項２３】
前記バッファキュー（５２、５４）は、同期パケットのみに対して提供される、請求項２２に記載の装置。
【請求項２４】
前記所定の同期パケット送信規則に従ってエアーインターフェイス上でアドレス指定されたアクセスポイント（１２、１４）の方へ各同期パケットを送信可能なトランシーバ（２０、２２）を含む、請求項１５ないし２３のいずれか一項に記載の装置。
【請求項２５】
前記トランシーバ（２０、２２）は、ＭＩＭＯ技術または前記ＭＩＭＯ技術の変形形態によって各同期パケットを送信するように構成される、請求項２４に記載の装置。
【請求項２６】
前記トランシーバ（２０、２２）は、各同期パケットを、前記伝送リンクの２つ以上のチャネル上で同時にかつ並行して送信するように構成される、請求項２５に記載の装置。
【請求項２７】
前記伝送リンクの２つ以上のチャネル上で同時にかつ並行した各同期パケットの前記送信は、複数のアンテナにわたってコヒーレントもしくは差動時空ブロックコードまたは他の同様の技法を使用することを含む、請求項２６に記載の装置。
【請求項２８】
前記アクセスポイント（１４）のうちの少なくとも１つは、電気通信システムおよびネットワークにおける無線基地局（８０）を含む、請求項１５ないし２７のいずれか一項に記載の装置。
【国際調査報告】
2016504782.tif 000013
2016504782.tif 000014
2016504782.tif 000015